(57)【特許請求の範囲】
【請求項１】
内容物が収容される容器本体を備え、
前記容器本体は、有底筒状の胴部と、前記胴部の上端開口部に連設された肩部と、前記肩部に立設された口部と、を備え、
前記肩部には、上方に向けて膨出する台座部が形成され、
前記容器本体には、前記容器本体の内部と外部とを連通する注出口および空気導入孔が、互いに独立して形成され、
前記注出口は、前記口部の上端開口部とされ、
前記空気導入孔は、前記肩部に、前記台座部を容器軸方向に貫通するように形成され、
前記容器本体における前記注出口の開口周縁部には、前記注出口を閉塞する第１蓋体が、破断可能な第１弱化部を介して連設され、
前記容器本体における前記空気導入孔の開口周縁部には、前記空気導入孔を閉塞する第２蓋体が、破断可能な第２弱化部を介して連設され、
前記第１蓋体と前記第２蓋体とは、連結体を介して連結されていることを特徴とする詰め替え容器。
【請求項２】
請求項１記載の詰め替え容器であって、
前記連結体は、破断可能な第３弱化部を介して前記容器本体に連設され、
前記第１弱化部と前記第２弱化部とは、前記第３弱化部を介して連結されていることを特徴とする詰め替え容器。
【発明の詳細な説明】
【技術分野】
【０００１】
本発明は、詰め替え容器に関する。
【背景技術】
【０００２】
従来から、この種の詰め替え容器として、例えば下記特許文献１に示されるような、内容物が収容される容器本体を備える構成が知られている。この容器本体には、容器本体の内部と外部とを連通する注出口が形成されており、この注出口には、注出口を閉塞する蓋体が弱化部を介して連設されている。
この容器本体では、弱化部を破断し蓋体を容器本体から離脱させて注出口を開放した後、容器本体内の内容物を注出口から注出し、内容物の詰め替え先である本容器に注入することで、内容物の詰め替えを行う。
【先行技術文献】
【特許文献】
【０００３】
【特許文献１】特開２００５−６７７０５号公報
【発明の概要】
【発明が解決しようとする課題】
【０００４】
ところで、前記従来の詰め替え容器には、詰め替え作業の作業効率に改善の余地があった。
【０００５】
本発明は、前述した事情に鑑みてなされたものであって、その目的は、詰め替え作業を効率良く行うことができる詰め替え容器を提供することである。
【課題を解決するための手段】
【０００６】
前記課題を解決するために、本発明は以下の手段を提案している。
本発明に係る詰め替え容器は、内容物が収容される容器本体を備え、前記容器本体は、有底筒状の胴部と、前記胴部の上端開口部に連設された肩部と、前記肩部に立設された口部と、を備え、前記肩部には、上方に向けて膨出する台座部が形成され、前記容器本体には、前記容器本体の内部と外部とを連通する注出口および空気導入孔が、互いに独立して形成され、前記注出口は、前記口部の上端開口部とされ、前記空気導入孔は、前記肩部に、前記台座部を容器軸方向に貫通するように形成され、前記容器本体における前記注出口の開口周縁部には、前記注出口を閉塞する第１蓋体が、破断可能な第１弱化部を介して連設され、前記容器本体における前記空気導入孔の開口周縁部には、前記空気導入孔を閉塞する第２蓋体が、破断可能な第２弱化部を介して連設され、前記第１蓋体と前記第２蓋体とは、連結体を介して連結されていることを特徴とする。
【０００７】
この発明では、内容物の詰め替えを行う際に、まず第１蓋体、第２蓋体およびこれらの蓋体を連結する連結体のうちの少なくとも１つに、容器本体から引き離す力を加えると、この力が、第１蓋体、第２蓋体および連結体の全体に伝達される。これにより、第１弱化部および第２弱化部が破断され、第１蓋体および第２蓋体が容器本体から一体的に離脱させられて注出口および空気導入孔が開放される。その後、注出口が空気導入孔よりも下側に位置するように容器本体を傾けると、外気が空気導入孔から容器本体内に導入されながら、内容物が注出口から注出される。
【０００８】
このように、内容物の注出時に、容器本体内に外気を導入しながら内容物を注出することができるので、内容物を効率良く注出することができる。
また、第１蓋体および第２蓋体を容器本体から一体的に離脱させることができるので、これらの蓋体を各別に離脱させる場合に比べて、効率良く離脱させることができる。
以上より、詰め替え作業を効率良く行うことができる。
【０００９】
また、注出口および空気導入孔が、互いに独立して形成されているので、容器本体内に導入される外気の流路面積、および容器本体内から注出される内容物の流路面積をそれぞれ安定して確保し易くすることが可能になり、内容物を円滑に注出することができる。
【００１１】
また注出口が、口部の上端開口部とされ、かつ空気導入孔が、肩部に形成されているので、注出口と空気導入孔とが互いに離れて配置されることとなる。これにより、内容物を注出するために、注出口が空気導入孔よりも下側に位置するように傾けるときに、空気導入孔から内容物が注出されるのを抑制することができる。
また注出口が、口部の上端開口部とされているので、内容物の詰め替えを行う際に、この詰め替え容器から内容物を詰め替える本容器の注入口に口部を位置決めすることで、注入口に対して注出口を容易に位置決めすることができる。これにより、内容物の詰め替え時に内容物が零れるのを抑制することができる。
【００１２】
また、前記連結体は、破断可能な第３弱化部を介して前記容器本体に連設され、前記第１弱化部と前記第２弱化部とは、前記第３弱化部を介して連結されていても良い。
【００１３】
この場合、第１弱化部と第２弱化部とが第３弱化部を介して連結されているので、これらの弱化部を連続して破断することが可能になり、第１蓋体および第２蓋体を容器本体から円滑に離脱させることができる。これにより、この詰め替え容器の開封作業時に、注出口や空気導入孔から容器本体内の内容物が零れるのを抑制することができる。
【発明の効果】
【００１４】
本発明に係る詰め替え容器によれば、詰め替え作業を効率良く行うことができる。
【図面の簡単な説明】
【００１５】
【図１】本発明の第１実施形態に係る詰め替え容器の側面図である。
【図２】図１に示す詰め替え容器の開封状態における上面図である。
【図３】図１に示す詰め替え容器を用いた詰め替え作業を説明する図である。
【図４】図１に示す詰め替え容器を用いた詰め替え作業を説明する図である。
【図５】図１に示す詰め替え容器を用いた詰め替え作業を説明する図である。
【図６】本発明の第２実施形態に係る詰め替え容器の側面図である。
【図７】図６に示す詰め替え容器の開封状態における上面図である。
【図８】図６に示す詰め替え容器を用いた詰め替え作業を説明する図である。
【図９】図６に示す詰め替え容器を用いた詰め替え作業を説明する図である。
【図１０】本発明の第３実施形態に係る詰め替え容器の側面図である。
【図１１】図１０に示すＡ−Ａ断面矢視図である。
【発明を実施するための形態】
【００１６】
（第１実施形態）
以下、図面を参照し、本発明の第１実施形態に係る詰め替え容器を説明する。
図１に示すように、詰め替え容器１は、内容物が収容される容器本体２を備えている。この容器本体２は、有底筒状の胴部３と、胴部３の上端開口部に連設された肩部４と、肩部４に立設された筒状の口部５と、を備えている。
【００１７】
なお本実施形態では、胴部３、肩部４および口部５は、それぞれの中心軸線が共通軸上に位置された状態で配設されている。以下、この共通軸を容器軸Ｏといい、容器軸Ｏ方向に沿った口部５側を上側といい、胴部３側を下側といい、容器軸Ｏに直交する方向を径方向といい、容器軸Ｏ回りに周回する方向を周方向という。
【００１８】
図２に示すように、容器本体２には、容器本体２の内部と外部とを連通する注出口６および空気導入孔７が、互いに独立して形成されている。注出口６および空気導入孔７は、互いに近接して配置されるとともに、同一方向（図示の例では上方）に向けて開口している。そして注出口６は、口部５の上端開口部とされるとともに、空気導入孔７は、肩部４に形成されている。本実施形態では、肩部４には、上方に向けて膨出する台座部８が形成されており、空気導入孔７は、台座部８を容器軸Ｏ方向に貫通するように配設されている。空気導入孔７の上面視形状は、径方向に長い長方形状となっている。
なお以下では、径方向のうち、台座部８が口部５から離間している方向を径方向一方側Ｌ１といい、この径方向一方側Ｌ１の反対側の方向を径方向他方側Ｌ２という。
【００１９】
口部５には、径方向一方側Ｌ１に向けて張り出す張出部９が形成されている。図１に示すように、張出部９は、口部５の容器軸Ｏ方向の全長にわたって延在しており、張出部９の下端部は、台座部８に径方向他方側Ｌ２から連結されている。
また口部５には、径方向他方側Ｌ２に向けて固定板部１０が突設されている。固定板部１０の表裏面は、容器軸Ｏ方向および径方向の双方向に延在しており、固定板部１０の側面視形状は、容器軸Ｏ方向に長い長方形状となっている。また固定板部１０の上端縁は、口部５の上端部に径方向他方側Ｌ２から連結されている。
【００２０】
固定板部１０の径方向他方側Ｌ２の先端部には、この詰め替え容器１内の内容物が注入される本容器３０（図５参照）の注入口３１の開口周縁部３２に係合可能な凹欠き部１１が形成されている。凹欠き部１１は、径方向他方側Ｌ２に向けて開口するとともに、固定板部１０の上端縁よりも下方に配設されており、凹欠き部１１の側面視形状は、矩形状となっている。
【００２１】
また、固定板部１０の表裏面それぞれには、容器軸Ｏ方向に延在する第１縦リブ１２が、径方向に間隔をあけて複数配設されている。
また、口部５の外周面において固定板部１０と張出部９との間に位置する部分には、容器軸Ｏ方向に延びる第２縦リブ１３が、周方向に間隔をあけて複数配設されている。第２縦リブ１３は、口部５の剛性向上および滑り止めなどの効果を発揮する。
【００２２】
また、口部５の上端縁（容器本体における注出口の開口周縁部）５ａには、注出口６を閉塞する第１蓋体１４が、破断可能な第１弱化部１５を介して連設されている。さらに、台座部８の上端縁（容器本体における空気導入孔の開口周縁部）８ａには、空気導入孔７を閉塞する第２蓋体１６が、破断可能な第２弱化部１７を介して連設されている。
【００２３】
そして、第１蓋体１４と第２蓋体１６とは、連結体１８を介して連結されている。
連結体１８は、容器軸Ｏ方向に延在しており、連結体１８の上端部は、径方向一方側Ｌ１から第１蓋体１４に連結されるとともに、連結体１８の下端部は、径方向他方側Ｌ２から第２蓋体１６に連結されている。
【００２４】
また連結体１８は、破断可能な第３弱化部１９を介して容器本体２に連設されている。そして、第１弱化部１５と第２弱化部１７とは、第３弱化部１９を介して連結されている。本実施形態では、連結体１８は、口部５の張出部９に第３弱化部１９を介して連設され、第３弱化部１９の上端部は、第１弱化部１５に連結されるとともに、第３弱化部１９の下端部は、第２弱化部１７に連結されている。
【００２５】
図示の例では、第１弱化部１５および第２弱化部１７の側面視形状は、径方向に沿って延びる直線状となっている。また、第３弱化部１９の上端部の側面視形状は、上方から下方に向かうに従い漸次、径方向一方側Ｌ１に向かうように湾曲するとともに、径方向一方側Ｌ１に向けて突出する凸曲線状となっている。また、第３弱化部１９の下端部の側面視形状は、上方から下方に向かうに従い径方向一方側Ｌ１に向かうように湾曲するとともに、径方向他方側Ｌ２に向けて突出する凸曲線状となっている。
【００２６】
また図示の例では、口部５の上端部は、第１弱化部１５から下方に離れるに従い漸次、外径が大きくなっており、該上端部の外面は傾斜面となっている。また、台座部８の上端部は、第２弱化部１７から下方に離れるに従い漸次、外径が大きくなっており、該上端部の外面は傾斜面とされている。さらに、張出部９において径方向一方側Ｌ１に位置する部分は、第３弱化部１９から径方向他方側Ｌ２に離れるに従い漸次、拡幅しており、該部分の外面は傾斜面とされている。これらの傾斜面は、段差無く滑らかに連なっている。
【００２７】
さらに図示の例では、第１蓋体１４の下端部は、第１弱化部１５から上方に離れるに従い漸次、外径が大きくなっており、該下端部の外面は傾斜面となっている。また、第２蓋体１６の下端部は、第２弱化部１７から上方に離れるに従い漸次、外径が大きくなっており、該下端部の外面は傾斜面とされている。さらに、連結体１８において径方向他方側Ｌ２に位置する部分は、第３弱化部１９から径方向一方側Ｌ１に離れるに従い漸次、拡幅しており、該部分の外面は傾斜面とされている。これらの傾斜面は、段差無く滑らかに連なっている。
【００２８】
また第１蓋体１４には、上方に向けて摘み片２０が突設されている。摘み片２０は、径方向他方側Ｌ２に向けて斜め上方に突設されている。摘み片２０の径方向他方側Ｌ２の下端部は、第１蓋体１４の下端部に径方向他方側Ｌ２から連結されている。また摘み片２０には、この摘み片２０を貫通する指掛け孔２１が形成されている。
以上のように構成された詰め替え容器１は、例えばブロー成形等により全体が一体に形成されている。
【００２９】
次に前記詰め替え容器１を用いて、内容物の詰め替えを行う方法の一例について説明する。
まず図３に示すように、一方の手の指で固定板部１０を摘むとともに、他方の手の指を摘み片２０の指掛け孔２１に掛けた後、前記他方の手の指を、径方向一方側Ｌ１に向けて引く。すると、第１蓋体１４のうちの径方向他方側Ｌ２に位置する部分に、第１蓋体１４を口部５から引き離す力が摘み片２０を介して加えられ、第１弱化部１５が破断される。その後、この力が、第１蓋体１４を介して連結体１８に加えられることで第３弱化部１９が破断され、さらに、第１蓋体１４および連結体１８を介して第２蓋体１６に前記力が加えられることで第２弱化部１７が破断される。これにより、図４に示すように、第１蓋体１４、連結体１８および第２蓋体１６の全体が容器本体２から一体的に離脱されることとなり、注出口６および空気導入孔７が開放される。なおこのとき、第１弱化部１５、第３弱化部１９および第２弱化部１７は、この順に連続して破断される。
【００３０】
その後、図５に示すように、本容器３０の注入口３１の開口周縁部３２に凹欠き部１１を係合させるとともに、容器本体２を径方向他方側Ｌ２に傾けると、外気が空気導入孔７から容器本体２内に導入されながら、内容物が注出口６から注出される。このとき、詰め替え容器１の前記凹欠き部１１と、本容器３０の前記開口周縁部３２と、の接触部分を起点として本容器３０に対する容器本体２の傾斜を漸次大きくしたり、前記凹欠き部１１と前記開口周縁部３２との係合を解除して本容器３０の注入口３１内に容器本体２の口部５を挿入した状態で、容器本体２を倒立姿勢にしたりすることなどによって詰め替えが行われる。
【００３１】
以上説明したように、本実施形態に係る詰め替え容器１によれば、内容物の注出時に、容器本体２内に外気を導入しながら内容物を注出することができるので、内容物を効率良く注出することができる。
また、第１蓋体１４および第２蓋体１６を容器本体２から一体的に離脱させることができるので、これらの蓋体１４、１６を各別に離脱させる場合に比べて、効率良く離脱させることができる。
以上より、詰め替え作業を効率良く行うことができる。
【００３２】
また、注出口６および空気導入孔７が、互いに独立して形成されているので、容器本体２内に導入される外気の流路面積、および容器本体２内から注出される内容物の流路面積をそれぞれ安定して確保し易くすることが可能になり、内容物を円滑に注出することができる。
【００３３】
また注出口６が、口部５の上端開口部とされ、かつ空気導入孔７が、肩部４に形成されているので、注出口６と空気導入孔７とが互いに離れて配置されることとなる。これにより、内容物を注出するために容器本体２を径方向他方側Ｌ２に傾けるときに、空気導入孔７から内容物が注出されるのを抑制することができる。
【００３４】
また注出口６が、口部５の上端開口部とされているので、内容物の詰め替えを行う際に、本容器３０の注入口３１に口部５を位置決めすることで、注入口３１に対して注出口６を容易に位置決めすることができる。これにより、内容物の詰め替え時に内容物が零れるのを抑制することができる。
さらに本実施形態では、固定板部１０に凹欠き部１１が形成されているので、本容器３０の注入口３１の開口周縁部３２に凹欠き部１１を係合させることで、容器本体２の注出口６を本容器３０の注入口３１に安定して位置決めすることができる。これにより、内容物の詰め替え時に内容物が零れるのをより抑制することができる。
また、固定板部１０が中実の板部材となっているため、容器本体２を本容器３０に対して傾斜させていっても、固定板部１０の変形が起こり難く、詰め替え操作を安定して行うことができる。
【００３５】
また、第１弱化部１５と第２弱化部１７とが第３弱化部１９を介して連結されているので、これらの弱化部１５、１７、１９を連続して破断することが可能になり、第１蓋体１４および第２蓋体１６を容器本体２から円滑に離脱させることができる。
さらに、固定板部１０の表裏面それぞれに、第１縦リブ１２が径方向に間隔をあけて複数配設されているので、例えば固定板部１０を指等で摘むときに、指が滑りにくく固定板部１０を強く摘むことが可能になり、第１蓋体１４および第２蓋体１６を容器本体２からより円滑に離脱させることができる。
以上のように、第１蓋体１４および第２蓋体１６を容器本体２から円滑に離脱させることができるので、この詰め替え容器１の開封作業時に、注出口６や空気導入孔７から容器本体２内の内容物が零れるのを抑制することができる。
【００３６】
（第２実施形態）
次に、本発明の第２実施形態に係る詰め替え容器を説明する。
なお、この第２実施形態においては、第１実施形態における構成要素と同一の部分については同一の符号を付し、その説明を省略し、異なる点についてのみ説明する。
【００３７】
図６および図７に示すように、本実施形態の詰め替え容器４０では、連結体４１が口部５と非連結とされるとともに、第１弱化部１５と第２弱化部１７とが非連結とされ、口部５と連結体４１との間には、容器軸Ｏ方向の全長にわたって隙間４２があいている。図６に示すように、連結体４１の下端部は、第２蓋体１６の下端部のうちの径方向他方側Ｌ２に位置する部分から、第２蓋体１６の上面にわたって第２蓋体１６に連結されている。また連結体４１の上端部は、摘み片２０の径方向一方側Ｌ１の下端部に連結されており、摘み片２０の表裏面と連結体４１の表裏面とは互いに面一となっている。
【００３８】
次に、以上のように構成された詰め替え容器４０を用いて内容物の詰め替えを行う際に、注出口６および空気導入孔７を開放する方法の一例について説明する。
まず図８に示すように、一方の手の指で固定板部１０を摘むとともに、他方の手の指を摘み片２０の指掛け孔２１に掛けた後、前記他方の手の指を、径方向一方側Ｌ１に向けて引く。すると、第１蓋体１４のうちの径方向他方側Ｌ２に位置する部分に、第１蓋体１４を口部５から引き離す力が摘み片２０を介して加えられ、第１弱化部１５が破断され、注出口６が開放される。
【００３９】
その後、図９に示すように、さらに前記他方の手の指を引き続けると、第２蓋体１６のうちの径方向他方側Ｌ２に位置する部分に、第２蓋体１６を台座部８から引き離す力が摘み片２０および連結体４１を介して加えられ、第２弱化部１７が破断され、空気導入孔７が開放される。
以上により、第１蓋体１４および第２蓋体１６が容器本体２から一体的に離脱させられる。
【００４０】
以上説明したように、本実施形態に係る詰め替え容器４０によれば、前記第１実施形態の詰め替え容器１と同様の作用効果を奏することができる。
また、第１弱化部１５と第２弱化部１７とが非連結とされているので、第１弱化部１５と第２弱化部１７とが間欠的に破断され、注出口６と空気導入孔７とを段階的に開封することができるため、開封状態を破断の感触によって正確に把握できるとともに、比較的小さな力での開封操作が可能となる。
なお本実施形態では、連結体４１の上端部が摘み片２０の径方向一方側Ｌ１の端部に連結されているものとしたが、連結されていなくても良い。
【００４１】
（第３実施形態）
次に、本発明の第３実施形態に係る詰め替え容器を説明する。
なお、この第３実施形態においては、第２実施形態における構成要素と同一の部分については同一の符号を付し、その説明を省略し、異なる点についてのみ説明する。
【００４２】
図１０および図１１に示すように、本実施形態の詰め替え容器５０では、容器本体２内には、空気導入孔７に連通する導入路５１が配設されている。図示の例では、容器本体２の胴部３の上側部分内は、前記導入路５１と、注出口６に連通する注出空間５２と、に区画されている。これらの導入路５１および注出空間５２は、容器本体２の肩部４に下方に向けて延設された区画部５３によって区画されている。
【００４３】
図１０に示すように、区画部５３は、容器本体２の肩部４において注出口６と空気導入孔７との間に位置する部分から、容器本体２の側面視形状における外周縁のうちの径方向一方側Ｌ１に位置する部分に沿って、下方に向けて延在している。なお図１１に示すように、本実施形態では、区画部５３は、容器本体２の内面同士が固着されることで形成されている。
【００４４】
以上のように構成された詰め替え容器５０を用いて内容物の詰め替えを行う際に、注出口６および空気導入孔７を開放した後、容器本体２を径方向他方側Ｌ２に傾けると、前述のように外気が空気導入孔７から容器本体２内に導入されながら、内容物が注出口６から注出される。このとき、空気導入孔７から容器本体２内に導入された外気は、導入路５１を通して容器本体２の胴部３の底壁部側に向かい、容器本体２内の内容物は、注出空間５２および口部５内を通して注出口６から注出される。
【００４５】
以上説明したように、本実施形態に係る詰め替え容器５０によれば、前記第２実施形態の詰め替え容器４０と同様の作用効果を奏することができる。
また、容器本体２内に前記導入路５１が配設されているので、容器本体２を径方向他方側Ｌ２に傾けたときに、空気導入孔７から容器本体２内の内容物が注出されるのを抑制することができる。
【００４６】
なお本実施形態では、区画部５３は、容器本体２の内面同士が固着されることで形成されているものとしたが、これに代えて、区画部として、容器本体２内に区画壁部を配設しても良い。
さらに本実施形態では、前記第２実施形態の詰め替え容器４０の容器本体２内に導入路５１を配設した構成としたが、前記第１実施形態の詰め替え容器１の容器本体２内に導入路を配設した構成としても良い。
【００４７】
なお、本発明の技術的範囲は前記実施形態に限定されるものではなく、本発明の趣旨を逸脱しない範囲において種々の変更を加えることが可能である。
例えば、前記各実施形態では、摘み片２０が、第１蓋体１４に設けられているものとしたが、これに限られるものではなく、連結体１８や第２蓋体１６に設けられていても良い。さらに、摘み片２０には指掛け孔２１が形成されているものとしたが、指掛け孔２１は無くても良い。さらに、摘み片２０は無くても良い。
【００４８】
また前記各実施形態では、固定板部１０には第１縦リブ１２が配設されているものとしたが、第１縦リブ１２は無くても良い。さらに前記各実施形態では、凹欠き部１１の側面視形状が矩形状となっているものとしたが、これに限られるものではない。さらにまた、凹欠き部１１は無くても良く、固定板部１０が無くても良い。
また前記各実施形態では、口部５には第２縦リブ１３が設けられているものとしたが、第２縦リブ１３は無くても良い。
【００４９】
また前記各実施形態では、空気導入孔７は、台座部８に形成されているものとしたが、本発明の参考例では、これに限られるものではなく、台座部８はなくても良い。
また前記各実施形態では、容器本体２は口部５を備えているものとしたが、本発明の参考例では、口部５は無くても良く、例えば、容器本体２の肩部４に注出口６および空気導入孔７が形成されていても良い。
【００５０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５１】
１、４０、５０  詰め替え容器
２  容器本体
３  胴部
４  肩部
５  口部
５ａ  口部の上端縁（容器本体における注出口の開口周縁部）
６  注出口
７  空気導入孔
８ａ  台座部の上端縁（容器本体における空気導入孔の開口周縁部）
１４  第１蓋体
１５  第１弱化部
１６  第２蓋体
１７  第２弱化部
１８、４１  連結体
【図１】
0005572443.tif 000002
【図２】
0005572443.tif 000003
【図３】
0005572443.tif 000004
【図４】
0005572443.tif 000005
【図５】
0005572443.tif 000006
【図６】
0005572443.tif 000007
【図７】
0005572443.tif 000008
【図８】
0005572443.tif 000009
【図９】
0005572443.tif 000010
【図１０】
0005572443.tif 000011
【図１１】
0005572443.tif 000012